(57)【特許請求の範囲】
【請求項１】
本体板と、前記本体板に着脱可能に被覆できるように形成した透光性乳白色の照明カバーと、上端に、引掛けプラグを固着すると共に、内部に前記引掛けプラグから引出された電灯コードを前記本体板内面に導入できるようにしたおねじ筒であって、めねじ筒又はナットによって螺着されて前記本体板中央部に設けた貫孔を介して、前記引掛けプラグの底面を固着できるようにした引掛けプラグ装置と、前記本体板内面に設けられた複数個の電球螺入用ソケットとを備え、前記電球螺入用ソケットに螺入した発光ダイオードを使用した電球形ランプ（以下、単にＬＥＤ電球という。）が点灯したとき、前記本体板内面の中央部に向けて配光できるように、前記ソケットを対向状又は放射状に配置して、前記本体板に被覆した前記照明カバーを明暗のないように光らせると共に、前記ＬＥＤ電球又は電球形蛍光ランプ（以下、単に蛍光灯電球という。）を自由に選択して各用途に応じた照明ができるようにしたことを特徴とした電球式シーリングライト。
【請求項２】
前記本体板中央部外面に固着した引掛けプラグと天井配線器具との間に着脱可能に電気接続できる天井吊り下げコード装置であって、上端に前記天井配線器具に着脱可能に電気接続できる引掛けプラグを設け、下端に前記本体板外面に固着した前記引掛けプラグ装置に着脱可能に電気接続できるようにした接続装置を設けている電灯コードからなり、前記接続装置が、コードカバーと、前記コードカバーに、それぞれ内嵌する、コード穴と１対のボルトナット挿入孔とを設けた止板と、前記電灯コードに着脱可能に圧着できるようにした挟着板からなるコードストッパーと、引掛けシーリングとを備えて、前記電灯コード下端の１対の引出線を前記引掛けシーリングの引出線差込み孔に挿着し、前記コードストッパーの挟着板を前記引出線又は前記引出線近くのコード部分に着脱可能に圧着して固着すると共に、その直上に設けた前記止板の１対のボルトナット挿入孔と前記引掛けシーリングの１対の貫孔に挿入した１対のボルトナットにより、前記止板を前記コードストッパーの挟着板の直上に位置するように固定したのち、前記コードカバーにより前記止板、前記コードストッパー、前記電灯コード下端及び前記引掛けシーリングを被覆できるようにしたことを特徴とした請求項１記載の電球式シーリングライト。
【請求項３】
前記コードストッパーが、内面にすべり止め加工した１対又は１個の挟着板を形成した合成樹脂板と前記各合成樹脂板の１対の貫孔に挿入できるようにした合成樹脂製ボルトナットとを備えていることを特徴とした請求項２記載の電球式シーリングライト。
【請求項４】
前記本体板中央部外面に固着した引掛けプラグと天井配線器具との間に着脱可能に電気接続できる天井吊り下げコード装置であって、上端に前記天井配線器具に着脱可能に電気接続できる引掛けプラグを設け、下端に前記本体板外面に固着した前記引掛けプラグ装置に着脱可能に電気接続できるようにした接続装置を設けている電灯コードからなり、前記接続装置が、コードカバーと、前記コードカバーに、それぞれ内嵌する、コード穴と１対のボルトナット挿入孔とを設けた止板と、前記電灯コードに着脱可能に結び目を形成できるようにしたコードストッパーと、引掛けシーリングとを備えて、前記電灯コード下端の１対の引出線を前記引掛けシーリングの引出線差込み孔に挿着し、前記コードストッパーの直上に設けた前記止板の１対のボルトナット挿入孔と、前記引掛けシーリングの１対の貫孔に挿入した１対のボルトナットにより、前記止板を前記コードストッパーに形成した結び目の直上に位置するように固定したのち、前記コードカバーにより前記止板、前記結び目のコードストッパー、前記電灯コード下端及び前記引掛けシーリングを被覆できるようにしたことを特徴とした請求項１記載の電球式シーリングライト。
【発明の詳細な説明】
【技術分野】
【０００１】
本発明は、ＬＥＤ（Light Emitting Diode）を使用した電球形ランプ（以下、単にＬＥＤ電球という。）又は電球形蛍光ランプ（以下、単に蛍光灯電球という。）を使用した、ペンダントライトとしても使用できるようにした電球式シーリングライトに関する。
【背景技術】
【０００２】
従来の天井直付けの照明器具としてのシーリングライト（Ceiling Light）は、蛍光灯が使用されてきたが、頑丈な鋼製本体板に安定器やアダプターを設けねばならないので、重量が重くなる欠点があった。また、最近ではセードに収容されたＬＥＤ製の照明器具が数多く出現したが、高価につく欠点があった。
これに対し、ヒートシンクを設けたＬＥＤ電球は、漸次、量産化されてきて価格はかなり低下し、従来型の一般電球形の白熱電球、蛍光灯電球等が使用されている照明器具に漸次使用されつつあるが、照明器具としての利用用途として、多灯を必要とするシーリングライトとしての利用は不向きとされていた。その理由は、ヒートシンクを設けたＬＥＤ電球は白熱電球に比べ直下方向には明るいが、ヒートシンクのため口金方向には暗く、従ってシーリングライトの透光性乳白色の照明カバー内に入れると、暗くなる部分ができて照明カバー全体が明暗がないように光らない欠点があった。
そこで本発明者は、複数個のヒートシンクを設けたＬＥＤ電球の配置を対向状又は放射状に本体板に設けて本体板の中央部に向け配光すれば、本体板を被覆する照明カバーの照明に明暗が生じない上に、ＬＥＤ電球又は蛍光灯電球をシーリングライトに使用すれば、安定器やアダプター等が不要となり、大きく重量軽減できるので、本体板に軽量な合成樹脂板が使用できることを見出し、また、ＬＥＤ電球及び蛍光灯電球を自由に選択（組み合わせを含む）することにより各用途に応じた照明ができることを見出し、さらに、本体板を軽量で透明色、不透明色、半透明色又は透光色の合成樹脂板にすれば、吊り下げペンダントライトとして効果的な照明ができることを見出し、本発明の開発に成功した。
【先行技術文献】
【特許文献】
【０００３】
【特許文献１】特開２０１３−２６０６０号公報
【発明の概要】
【発明が解決しようとする課題】
【０００４】
本発明は、複数個のＬＥＤ電球又は蛍光灯電球が使用できると共に、安定器や引掛けを設けたアダプターを使用せず、本体板に軽量な合成樹脂板を使用できるようにした電球式シーリングライトを提供するものである。
また、本発明は、大きな節電効果と最適な照明量が得られると共に、照明カバーを明暗がないように光らせることができるようにした電球式シーリングライトを提供するものである。
また、本発明は、構造簡単で極めて安価に製作でき、各種のＬＥＤ電球又は蛍光灯電球を自由に選択して各用途に応じた照明ができるようにした電球式シーリングライトを提供するものである。
さらに、本発明は、吊り下げペンダントライトとしても照明できるようにした電球式シーリングライトを提供するものである。
【課題を解決するための手段】
【０００５】
本発明の電球式シーリングライトは、上記課題を達成するため、図示するように、請求項１の発明は、本体板と、前記本体板に着脱可能に被覆できるように形成した透光性乳白色の照明カバーと、上端に、引掛けプラグを固着すると共に、内部に前記引掛けプラグから引出された電灯コードを前記本体板内面に導入できるようにしたおねじ筒であって、めねじ筒又はナットによって螺着されて前記本体板中央部に設けた貫孔を介して、前記引掛けプラグの底面を固着できるようにした引掛けプラグ装置と、前記本体板内面に設けられた複数個の電球螺入用ソケットとを備え、前記電球螺入用ソケットに螺入した発光ダイオードを使用した電球形ランプ（以下、単にＬＥＤ電球という。）が点灯したとき、前記本体板内面の中央部に向けて配光できるように、前記ソケットを対向状又は放射状に配置して、前記本体板に被覆した前記照明カバーを明暗のないように光らせると共に、前記ＬＥＤ電球又は電球形蛍光ランプ（以下、単に蛍光灯電球という。）を自由に選択して各用途に応じた照明ができるようにしたものである。
また、本発明の電球式シーリングライトは、上記課題を達成するため、図示するように、請求項２の発明は、請求項１の発明において、前記本体板中央部外面に固着した引掛けプラグと天井配線器具との間に着脱可能に電気接続できる天井吊り下げコード装置であって、上端に前記天井配線器具に着脱可能に電気接続できる引掛けプラグを設け、下端に前記本体板外面に固着した前記引掛けプラグ装置に着脱可能に電気接続できるようにした接続装置を設けている電灯コードからなり、前記接続装置が、コードカバーと、前記コードカバーに、それぞれ内嵌する、コード穴と１対のボルトナット挿入孔とを設けた止板と、前記電灯コードに着脱可能に圧着できるようにした挟着板からなるコードストッパーと、引掛けシーリングとを備えて、前記電灯コード下端の１対の引出線を前記引掛けシーリングの引出線差込み孔に挿着し、前記コードストッパーの挟着板を前記引出線又は前記引出線近くのコード部分に着脱可能に圧着して固着すると共に、その直上に設けた前記止板の１対のボルトナット挿入孔と前記引掛けシーリングの１対の貫孔に挿入した１対のボルトナットにより、前記止板を前記コードストッパーの挟着板の直上に位置するように固定したのち、前記コードカバーにより前記止板、前記コードストッパー、前記電灯コード下端及び前記引掛けシーリングを被覆できるようにしたものである。
また、本発明の電球式シーリングライトは、上記課題を達成するため、図示するように、請求項３の発明は、請求項２の発明において、前記コードストッパーが、内面にすべり止め加工した１対又は１個の挟着板を形成した合成樹脂板と前記各合成樹脂板の１対の貫孔に挿入できるようにした合成樹脂製ボルトナットとを備えているものである。
また、本発明の電球式シーリングライトは、上記課題を達成するため、図示するように、請求項４の発明は、請求項１の発明において、前記本体板中央部外面に固着した引掛けプラグと天井配線器具との間に着脱可能に電気接続できる天井吊り下げコード装置であって、上端に前記天井配線器具に着脱可能に電気接続できる引掛けプラグを設け、下端に前記本体板外面に固着した前記引掛けプラグ装置に着脱可能に電気接続できるようにした接続装置を設けている電灯コードからなり、前記接続装置が、コードカバーと、前記コードカバーに、それぞれ内嵌する、コード穴と１対のボルトナット挿入孔とを設けた止板と、前記電灯コードに着脱可能に結び目を形成できるようにしたコードストッパーと、引掛けシーリングとを備えて、前記電灯コード下端の１対の引出線を前記引掛けシーリングの引出線差込み孔に挿着し、前記コードストッパーの直上に設けた前記止板の１対のボルトナット挿入孔と、前記引掛けシーリングの１対の貫孔に挿入した１対のボルトナットにより、前記止板を前記コードストッパーに形成した結び目の直上に位置するように固定したのち、前記コードカバーにより前記止板、前記結び目のコードストッパー、前記電灯コード下端及び前記引掛けシーリングを被覆できるようにしたものである。
本発明において、本体板外面に固着した引掛けプラグ装置は、天井に取り付けられる丸形又は角形の引掛けシーリングや露出型又は埋込型の引掛けローゼットなどの公知の天井配線器具の引掛け穴に、引掛けを挿入して着脱可能に嵌着することにより電気接続して本体板の貫孔を介してシーリングライト内に給電する装置である。
引掛けプラグ装置は、引掛けプラグと、その外底面にコード通し孔を除いて上端を固着したおねじ筒と、前記おねじ筒の外周面に螺合するめねじ筒又はナットからなり、引掛けプラグを前記めねじ筒又はナットを介して本体板外面中央部にその底面を固着してコード引出線をおねじ筒内を介して本体板内面に引出し、ソケット等と電気接続するものである。
本体板は、本発明では、蛍光灯を使用した従来のシーリングライトの鋼製本体板のようなトレイ状の頑丈なものは、重い安定器やアダプター等を不要とするので、軽量な合成樹脂板製が好ましく、さらに、前記本体板が合成樹脂製の場合、特に天井吊り下げ形のペンダントライトとして使用する場合には、合成樹脂板は透明色、不透明色、半透明色又は透光色その他各種色合いの組み合わせのもので製作することもできる。
照明カバーは、一般にセード（Shade）と称せられる透光性乳白色のシーリングライト用の公知の合成樹脂製わん状カバーで、本体板の形状及びサイズ、電球の大きさ及び電球数等に合わせて着脱可能に被覆されるものである。
電球螺入用ソケットは、白色合成樹脂製のもので接続配線付きのものが好ましく、また、ソケット支持板はＬ形板のほか、バンド状、台状のものでもよい。本願発明では、電球螺入用ソケットは、螺入したヒートシンクを設けたＬＥＤ電球が点灯したとき、本体板内面の中央部に向けて配光できるように、本体板内面に対向状又は放射状に取りつけて、照明カバーで被覆したとき、照明カバーを明暗がないよう光らせることが必要である。
照明カバーは、それ自体又は本体板の周縁にねじ締め、その他の公知の着脱装置を取りつけて本体板に着脱可能に被覆できるように形成する。
電灯コードは、上端に取り付ける引掛けプラグは、外観的に体裁のよい公知の丸型のおわん状のものが好ましく、また、下端に取り付ける接続装置は、外観的に体裁のよい公知のコードカバー（キャップ）により被覆されることが好ましい。
接続装置は、本体板外面中央部に固着した前記引掛けプラグ装置に着脱可能に電気接続すると共に、天井から吊り下げられた電灯コードの下端の電気接続を安全に維持するもので、平板状の止板とコードストッパーと公知の引掛けシーリングとを組み合わせてコードカバー（キャップ）で被覆できるようにしたものである。
本発明では、前記コードストッパーは、電灯コードを着脱可能に圧着する挟着板を利用するもの及び電灯コードの着脱可能な結び目を利用するものが使用され、天井直付けのシーリングライトを天井吊り下げペンダントライトとして使用した場合の照明器具の安全維持をはかるものである。
【発明の効果】
【０００６】
本発明は、複数個のＬＥＤ電球を本体板内面の中心に向けて配光できるように対向状又は放射状に配置しているので、ヒートシンクを設けたＬＥＤ電球を電球螺入用ソケットに螺入して点灯したときは、照明カバーに各ＬＥＤ電球のヒートシンクの陰影を映すことなく、照明カバーを明暗がないように光らせることができる。
また、本発明は、従来のシーリングライトのアダプター装置がなく、また、従来の蛍光管の安定器がないので、構造簡単かつ軽量となり、本体板に軽量な合成樹脂板を使用して極めて安価に製作できる。また、本発明は、ＬＥＤ電球又は蛍光灯電球を自由に選択して節電効果と最適の照明量が得られる。また、本発明では、複数個のＬＥＤ電球又は蛍光灯電球を使用することができるので、ＬＥＤ一体型の照明器具と異なり、各種のＬＥＤ電球又は蛍光灯電球の選定、組合せにより、台所用、食卓用、寝室用、浴槽用、中庭用、植物育成用、などの各種用途に応じた照明に使用できる。例えば、ＬＥＤ電球の昼白色電球と電球色電球とを組合せて使用して生体リズムを調整したり、目の保護をしたりすることができる。
さらに、本発明は、本体板に透明色、不透明色、半透明色又は透光色などの無色、白色その他の色合いの合成樹脂板を使用して、天井吊り下げペンダントライトとして効果的な照明ができる。
【図面の簡単な説明】
【０００７】
【図１−１】本発明の実施例を示し、照明カバーを取り除いて平面図的にみた概略説明図である。
【図１−２】図１−１のＸ−Ｘ切断線から断面図的にみた概略説明図である。
【図１−３】本発明の実施例の使用状態を示した概略説明図である。
【図２−１】本発明の別の実施例を示し、照明カバーを取り除いて平面図的にみた概略説明図である。
【図２−２】図２−１のＸ−Ｘ切断線から断面図的にみた、本体板と引掛けプラグ装置とのねじ止めによる固着を示した概略説明図である。
【図３−１】本発明のさらに別の実施例を示し、天井吊り下げペンダントライトとして使用した場合の概略説明図である。
【図３−２】図３−１に使用した本体板と引掛けプラグ装置とのおねじ筒とナットとの螺合による固着を示した概略説明図である。
【図３−３】図３−１に使用した天井吊り下げコード装置の下端の接続装置の実施例の概略説明図である。
【図３−４】図３−１に使用した天井吊り下げコード装置の下端の接続装置のさらに別の実施例の概略説明図である。
【発明を実施するための形態】
【０００８】
本発明の実施形態が実施例１、実施例２及び実施例３に記載される。
【実施例１】
【０００９】
本発明電球式シーリングライトの実施例１が図１−１、図１−２及び図１−３に示されている。
図１−１では、公知の配線及び公知の照明カバーの着脱装置が省略されている。
図１−２では、公知の配線が省略されている。
本発明実施例の電球式シーリングライトは、円形トレイ状の本体板１０と、わん状の透光性乳白色の合成樹脂製照明カバー２０を備えている。
本体板１０は合成樹脂製円形トレー状のもので、白色の円板１１と円板１１の周縁に形成した白色の側板１２とからなり、円板１１は、２個のＬＥＤ電球４０をそれぞれ螺入した２個の白色合成樹脂製ソケット５０を、Ｌ形白色の合成樹脂製支持板５１を介して、円板１１内面に取りつけている。また、円板１１の外面中央部には、引掛けプラグ装置３０の公知の角型の引掛けプラグ３００のコード穴（図示しない）を除く外底面を本体板１０中央部の引出線のための貫孔１３と連通できるように、接着剤を介して本体板１０の円板１１と固着している。
引掛けプラグ装置３０は、上部に天井に取り付けた引掛けシーリング又は引掛けローゼット６０の引掛け穴（図示しない）に挿入して電気接続される金属製引掛け３１が設けられると共に、前記コード穴（図示しない）と本体板１０の円板１１の貫孔１３とを介して、本体板１０の円板１１内面に設けられたソケット５０に配線接続されるものである。
また、２個のソケット５０は、支持板５１を介して、円板１１の中央部に向けて対向状に配置できるように、本体板１０の円板１１内面に取りつけられ、ソケット５０の電球螺入口（図示しない）に螺入した前記ＬＥＤ電球４０を点灯したとき、前記各ＬＥＤ電球４０の発光部分４２は、図示するように、本体板１０の円板内面の中央部に向けて配光できるように配置される。
照明カバー２０は、本体板１０の側板１２内側に設けた公知の着脱装置（図示しない）を介して着脱可能に嵌合できるように形成される。
本発明実施例は、上述のように構成されるので、本体板１０の円板１１外面に固着した引掛けプラグ装置３０の引掛け３１を天井７０の引掛けシーリング又は引掛けローゼット６０の引掛け穴（図示しない）に引掛けて電気接続したのち、２個のＬＥＤ電球４０を点灯すると、２個のＬＥＤ電球４０は本体板１０の円板１１内面の中央部に向って配光されて照明カバー２０は、明暗のないように光ることになる。
また、本発明は、各種のＬＥＤ電球又は蛍光灯電球を自由に選択して節電効果と最適な照明量が得られると共に、前述したように各使用目的（例えば、ＬＥＤ電球の昼白色、電球色の選択及び組合わせ）に応じた照明が得られる。
【実施例２】
【００１０】
本発明電球式シーリングライトの実施例２が図２−１及び図２−２に示されている。
図２−１では、公知の配線及び公知の照明カバーの着脱装置が省略されている。
図２−２では、公知の配線が省略されている。
本発明実施例の電球式シーリングライトは、円形トレイ状の本体板１０Ｂと、わん状の透光性乳白色の合成樹脂製照明カバー（図示しない）を備えている。
本体板１０Ｂは、合成樹脂製で白色の円板１１Ｂと円板１１Ｂの周縁に設けた白色の側板１２Ｂとからなり、円板１１Ｂは、４個のＬＥＤ電球４０をそれぞれ螺入した４個の白色の合成樹脂製ソケット５０を、Ｌ形白色の合成樹脂製支持板５１を介して、円板１１Ｂ内面に取りつけている。また、円板１１Ｂ外面の中央部には、引掛けプラグ装置３０Ｂが固着されている。引掛けプラグ装置３０Ｂは、引掛けプラグ３００Ｂを上部に設けると共に、引出線を下部に設けた公知の丸型のもので、下部の複数個の螺孔１５Ｂに螺入するねじ３０１Ｂを介して本体板１０Ｂと固着される。引掛けプラグ３００Ｂの引出線（図示しない）は、本体板１０Ｂの貫通孔１４Ｂを介して本体板１０Ｂの円板１１Ｂの内面に引き出される。
また、必要に応じ、本体板１０Ｂの円板１１Ｂに電球点灯熱による吸排気用小孔（図示しない）、又は、特開２０１３−２６０６０号公報で示したような遮光反射板付の吸排気用小孔（図示しない）を設けてもよい。
また、４個のソケット５０は、支持板５１を介して、円板１１Ｂ内面の中央部に向けて十字の放射状に配置できるように、本体板１０Ｂの円板１１Ｂ内面に取りつけられ、ソケット５０の電球螺入口（図示しない）に螺入したＬＥＤ電球４０を点灯したとき、各ＬＥＤ電球４０の発光部分４２は、図示するように、本体板１０Ｂの円板１１Ｂ内面の中央に向けて配光できるように形成されている。
照明カバーは、実施例１の図１−３と同様に、本体板１０Ｂの側板１２Ｂ内側に設けた公知の着脱装置（図示しない）を介して着脱可能に嵌合できるように形成される。
本発明実施例は、上述のように構成されるので、本体板１０Ｂ外面１１Ｂに固着した引掛けプラグ装置３０Ｂを引掛け３１Ｂを介して天井７０の引掛けシーリング又は引掛けローゼット（図示しない）の引掛け穴（図示しない）に引掛けて電気接続したのち、４個のＬＥＤ電球４０を点灯すると、４個のＬＥＤ電球４０は本体板１０Ｂの円板１１Ｂ内面中央部に向って配光されて照明カバーは、明暗のないように光ることになる。
また、本発明は、ＬＥＤ電球又は蛍光灯電球を自由に選択して節電効果と最適な照明量が得られると共に、前述したように各使用目的に応じた照明が得られる。
【実施例３】
【００１１】
本発明電球式シーリングライトの実施例３が図３−１、図３−２、図３−３及び図３−４に示されている。
本発明実施例の電球式シーリングライトは、円形トレイ状の本体板１０Ｃと、わん状の透光性乳白色の合成樹脂製照明カバー２０Ｃと、天井吊り下げペンダントライト用天井吊り下げコード装置（以下、単に吊り下げコード装置という。）８０とを備えている。
本体板１０Ｃは、透光性乳白色の円板１１Ｃと円板１１Ｃの周縁に設けた透光性乳白色の側板１２Ｃとからなり、円板１１Ｃは、４個のＬＥＤ電球（図示しない）をそれぞれ螺入した白色の合成樹脂製ソケット（図示しない）４個を、Ｌ形透明の合成樹脂製支持板（図示しない）を介して、円板１１Ｃ内面に取りつけている。また、円板１１Ｃ外面の中央部には、引掛けプラグ装置３０Ｃが固着されている。本体板１０Ｃの円板１１Ｃに対する引掛けプラグ装置３０Ｃの固着は、図３−２に示すように、引掛けプラグ３００Ｃの底面のコード穴（図示しない）まわりに接着等により固着させてコード８０を内孔に連通できるようにしたおねじ筒３０１Ｃを本体板１０Ｃの円板１１Ｃの中央の貫孔１３Ｃに挿入して２個のナット３０２Ｃでダブルナットとして螺着する。
また、４個の前記ソケットは、前記支持板（図示しない）を介して、円板１１Ｃ内面の中央部に向けて十字の放射状に配置できるように、円板１１Ｃ内面に取りつけられ（図示しない）、前記ソケットの電球螺入口（図示しない）に螺入したＬＥＤ電球（図示しない）を点灯したとき、各ＬＥＤ電球の発光部分（図示しない）は、本体板１０Ｃの円板１１Ｃ内面の中央部に向けて配光できるように形成されている。
照明カバー２０Ｃは、本体板１０Ｃの円板１１Ｃ内面の側板１２Ｃに着脱可能に嵌合できるように形成されている。
従って、本体板１０Ｃの円板１１Ｃ外面に固着した引掛けプラグ装置３０Ｃを引掛け（図示しない）を介して天井７０の引掛けシーリング又は引掛けローゼット６０の引掛け穴（図示しない）に引掛けて電気接続したのち、４個のＬＥＤ電球（図示しない）を点灯すると、４個のＬＥＤ電球は本体板１０Ｃ内面の中央部に向って配光されて照明カバー２０Ｃは、明暗のないように光ることになる。
次に、天井配線器具として天井７０に配線された引掛けシーリング又は引掛けローゼット６０と本体板１０Ｃ上面に固着した引掛けプラグ装置３０Ｃとの間に、着脱可能に電気接続できる吊り下げコード装置８０を連結して、本発明電球式シーリングライトを、天井吊り下げペンダントライトとして使用できる場合の実施例を以下に記載する。
吊り下げコード装置８０は、電灯コード８００を介して上端に、前記天井配線器具６０に着脱可能に電気接続できる丸型の引掛けプラグ３０Ｅを設け、下端に、前記本体板１０Ｃ外面に固着した引掛けプラグ装置３０Ｃに着脱可能に電気接続できるようにした配線装置６０Ｃをコードカバー９０内に設けている。
配線装置６０Ｃは、図３−３に示すように、コードカバー９０と、コードカバー９０にそれぞれ内嵌する、コード穴６２０Ｃと１対のボルトナット６１１Ｃの挿入孔（図示しない）とを設けた止板６２Ｃと、前記電灯コード８００の下端に着脱可能に圧着できるようにした１対の挟着板６３１Ｃからなるコードストッパー６３Ｃと、引掛けシーリング６１Ｃとを備え、前記電灯コード８００下端の１対の引出線８１を、絶縁圧着端子８１１を介して、前記引掛けシーリング６１Ｃの１対の引出線差込み孔（図示しない）に挿着し、前記コードストッパー６３Ｃの挟着板６３１Ｃを、前記１対の引出線８１の上方のコード部分に着脱可能に圧着すると共に、その直上に前記止板６２Ｃの１対のボルトナット６１１Ｃの１対の挿入孔（図示しない）と、前記引掛けシーリング６１Ｃの１対のボルトナット孔（図示しない）に挿入した１対のボルト６１１Ｃにより、前記コードストッパー６３Ｃの挟着板６３１Ｃ直上に位置するように止板６２Ｃを１対のナット６１１Ｃで締めて固定したのち、前記コードカバー９０により前記電灯コード８００の下端、前記引掛けシーリング６１Ｃ、前記コードストッパー６３Ｃ及び前記止板６２Ｃを被覆できるようにする。
なお、コードストッパー６３Ｃは、裏面にすべり止め加工（図示しない）をした合成樹脂板６３１Ｃと前記合成樹脂板の貫孔（図示しない）に挿入できるようにした合成樹脂製ボルトナット６３２Ｃとからなっている。前記合成樹脂板６３１Ｃ裏面のすべり止め加工としては、両面粘着テープ、貼着用ゴムテープなどが使用される。
さらに、止板６２Ｃの固定には、１対のボルト６１１Ｃに対し、止板６２Ｃ上面又は（及び）下面にナット６１１Ｃの螺着を増やすこともできる。
配線装置６０Ｃの代わりに配線装置６０Ｄを使用することができる。配線装置６０Ｄの実施例が図３−４に示されている。
配線装置６０Ｄは、図３−４に示すように、コードカバー９０と、コードカバー９０にそれぞれ内嵌する、コード穴６２０Ｄと１対のボルトナット６１１Ｄの挿入孔（図示しない）とを設けた止板６２Ｄと、前記電灯コード８００の下端に着脱可能に結び目６３１Ｄができるようにしたコードストッパー６３Ｄと、引掛けシーリング６１Ｄとを備え、前記電灯コード８００下端の１対の引出線８１を、絶縁圧着端子８１１を介して、前記引掛けシーリング６１Ｄの１対の引出線差込み孔（図示しない）に挿着し、前記コードストッパー６３Ｄの結び目６３１Ｄを、前記１対の引出線８１の上方のコード部分に着脱可能に結ぶと共に、その直上に前記止板６２Ｄの１対の挿入孔（図示しない）と、前記引掛けシーリング６１Ｄの１対のボルトナット孔（図示しない）に挿入した１対のボルト６１１Ｄとにより、前記コードストッパー６３Ｄの結び目６３１Ｄ直上に位置するように止板６２Ｄを１対のナット６１１Ｄで締めて固定したのち、前記コードカバー９０により前記電灯コード８００の下端、前記引掛けシーリング６１Ｄ、前記コードストッパー６３Ｄ及び前記止板６２Ｄを被覆できるようにする。なお、止板６２Ｄの固定には、１対のボルト６１１Ｄに対し、止板６２Ｄ上面又は（及び）下面にナット６１１Ｄの螺着を増やしてもよい。
したがって、吊り下げコード装置８０の下端の配線装置６０Ｃ又は６０Ｄを、本体板１０、１０Ｂ又は１０Ｃの円板１１、１１Ｂ又は１１Ｃ外面中央に固着した引掛けプラグ装置３０、３０Ｂ又は３０Ｃに電気接続し、上端の引掛けプラグ３０Ｅを天井の配線器具６０に電気接続して、ＬＥＤ電球を点灯すると、ＬＥＤ電球は本体板１０、１０Ｂ又は１０Ｃの円板１１、１１Ｂ又は１１Ｃ内面の中央部に向けて配光されて照明カバー２０又は２０Ｃは、明暗のない天井吊り下げのペンダントライトとして光ることになる。
また、本発明は、ＬＥＤ電球又は蛍光灯電球を自由に選択して節電効果と最適な照明量が得られると共に、前述したように各使用目的に応じた照明が得られる。
【産業上の利用可能性】
【００１２】
本発明電球式シーリングライトは、構造簡単、製作容易で安価に量産できる。
【符号の説明】
【００１３】
１０、１０Ｂ、１０Ｃ        本体板
１１、１１Ｂ、１１Ｃ        本体板の円板
１２、１２Ｂ、１２Ｃ        本体板の側板
２０、２０Ｃ                照明カバー
３０、３０Ｂ、３０Ｃ        引掛けプラグ装置
３００、３００Ｂ、３００Ｃ  引掛けプラグ
４０                        ＬＥＤ電球
４１                        ＬＥＤ電球のヒートシンク
４２                        ＬＥＤ電球の発光部分
５０                        電球螺入用ソケット
６０                        天井配線器具（引掛けシーリング又は引掛けローゼット）
６０Ｃ、６０Ｄ              吊り下げコードの接続装置
６１Ｃ、６１Ｄ              引掛けシーリング
６１１Ｃ、６１１Ｄ          ボルトナット
６２Ｃ、６２Ｄ              止板
６３Ｃ、６３Ｄ              コードストッパー
６３１Ｃ                    圧着用合成樹脂製挟着板
６３１Ｄ                    コードの結び目
６３２Ｃ                    合成樹脂製ボルトナット
７０                        天井
８０                        天井吊り下げコード装置
８００                      電灯コード
８１                        コードの引出線
９０                        コードカバー
【要約】
【課題】複数個のＬＥＤ電球を点灯して、照明カバーを明暗のないように光らせるシーリングライトとして使用でき、また、必要に応じ、吊り下げペンダントライトとしても使用でき、さらに、各種用途に応じた照明ができ、また、重い安定器やアダプターを不要として、本体板を合成樹脂板として軽量化をはかることができる電球式シーリングライトを提供する。
【解決手段】本体板１０と、本体板を被覆する照明カバー２０と、本体板外面中央に固着した引掛けプラグ装置３０と本体板１０の内面に設けた電球螺入用ソケット５０とを備え、ソケット５０を対向状又は放射状に本体板内面に設けて、ＬＥＤ電球の配光を本体板内面中央に集光して照明カバーを明暗なく光らせ、また、吊り下げコード装置８０により、天井吊り下げペンダントライトとしても使用できるようにし、さらに、電球の取替、組合せにより、各種用途に応じた照明ができるようにしたもの。
【選択図】        図２−２【図１−１】
0005597830.tif 000002
【図１−２】
0005597830.tif 000003
【図１−３】
0005597830.tif 000004
【図２−１】
0005597830.tif 000005
【図２−２】
0005597830.tif 000006
【図３−１】
0005597830.tif 000007
【図３−２】
0005597830.tif 000008
【図３−３】
0005597830.tif 000009
【図３−４】
0005597830.tif 000010